(57)【要約】【課題】バッテリ切れとなる前にバッテリの交換または充電を使用者に適切に知らせることができ、これにより業務の途中で動作が停止するといった不具合を回避して業務効率の向上が図れる情報端末およびそのプログラムを提供する。【解決手段】蓋体部の開回数または閉回数をカウントし、このカウント値が設定値以上の場合に、バッテリの交換または充電が必要な旨を報知する。【選択図】図４
2014146456.tif 000002
【特許請求の範囲】
【請求項１】
操作手段を有する基体部と、
前記基体部の前記操作手段上に開閉自在に設けた蓋体部と、
当該情報端末の動作用電圧を出力するバッテリと、
前記蓋体部の開回数または閉回数をカウントするカウント手段と、
前記カウント手段のカウント値が設定値以上の場合に、前記バッテリの交換または充電が必要な旨を報知する報知手段と、
を備えることを特徴とする情報端末。
【請求項２】
前記バッテリは、着脱が自在であり、
前記バッテリの取外しに際して前記カウント手段のカウント値を初期値に設定する制御手段と、
をさらに備える、
ことを特徴とする請求項１に記載の情報端末。
【請求項３】
前記操作手段は、前記基体部に配置したタッチパネル式の表示部である、
前記報知手段は、前記バッテリの交換または充電が必要な旨のメッセージを前記表示部で表示する、
ことを特徴とする請求項１または請求項２に記載の情報端末。
【請求項４】
前記操作手段の操作により入力される情報を無線送信する送信手段と、
前記送信手段の送信回数をカウントするカウント手段と、
前記バッテリの取外しに際して前記送信回数のカウント値を初期値に設定する制御手段と、
をさらに備え、
前記報知手段は、前記送信手段による無線送信が終了したとき、前記開回数または閉回数のカウント値が設定値以上の場合に前記バッテリの交換または充電が必要な旨を報知し、かつ前記送信手段による無線送信が終了したとき、前記送信回数のカウント値が設定値以上の場合に前記バッテリの交換または充電が必要な旨を報知する、
ことを特徴とする請求項１乃至請求項３のいずれかに記載の情報端末。
【請求項５】
前記蓋体部が閉じているとき、または前記蓋体部が開いた状態で所定時間にわたり操作入力を受け付けなかったとき、省電力のためのサスペンド状態を設定するサスペンド制御手段と、
前記サスペンド状態の設定後、前記蓋体部が開いていること、および何らかの操作があることを条件に、そのサスペンド状態を解除するレジューム処理を実行するレジューム制御手段と、
をさらに備えることを特徴とする請求項１乃至請求項３のいずれかに記載の情報端末。
【請求項６】
操作手段を有する基体部、この基体部の前記操作手段上に開閉自在に設けた蓋体部、当該情報端末の動作用電圧を出力するバッテリ、およびコンピュータを備えた情報端末において、
前記コンピュータを、
前記蓋体部の開回数または閉回数をカウントするカウント手段と、
前記カウント手段のカウント値が設定値以上の場合に、前記バッテリの交換または充電が必要な旨を報知する報知手段、
として機能させることを特徴とするプログラム。
【発明の詳細な説明】
【技術分野】
【０００１】
この発明の実施形態は、飲食店等で顧客が注文する商品の情報入力などに使用する情報端末およびそのプログラムに関する。
【背景技術】
【０００２】
ファミリーレストラン等の飲食店において、顧客から注文される商品の情報を係員が手元で入力して厨房等に無線送信できる手持式の情報端末いわゆるハンディターミナルが知られている。
【０００３】
このハンディターミナルは、注文情報の入力用としてタッチパネル式の液晶表示部を備える。また、このハンディターミナルは、充電式のバッテリを内蔵し、そのバッテリの電圧により動作する。
【先行技術文献】
【特許文献】
【０００４】
【特許文献１】特開２００７―１４７４３４号公報
【発明の概要】
【発明が解決しようとする課題】
【０００５】
バッテリの残量が少ないままハンディターミナルの使用が続くと、やがてバッテリ切れとなって業務が中断してしまう。
【０００６】
実施形態の目的は、バッテリ切れとなる前にバッテリの交換または充電を使用者に適切に知らせることができ、これにより業務の途中で動作が停止するといった不具合を回避して業務効率の向上が図れる情報端末およびそのプログラムを提供することである。
【課題を解決するための手段】
【０００７】
情報端末は、操作手段を有する基体部と、この基体部の前記操作手段上に開閉自在に設けた蓋体部と、当該情報端末の動作用電圧を出力するバッテリと、前記蓋体部の開回数または閉回数をカウントするカウント手段と、このカウント手段のカウント値が設定値以上の場合に、前記バッテリの交換または充電が必要な旨を報知する報知手段と、を備える。
【図面の簡単な説明】
【０００８】
【図１】各実施形態の操作面を示す図。
【図２】各実施形態の裏側を示す図。
【図３】各実施形態の制御回路のブロック図。
【図４】第１実施形態の制御を示すフローチャート。
【図５】各実施形態の液晶表示部で表示する案内文を示す図。
【図６】第２実施形態の制御を示すフローチャート。
【発明を実施するための形態】
【０００９】
［１］以下、本発明の第１実施形態について図面を参照して説明する。  
図１において、１は飲食店等で顧客の注文情報を入力して無線送信する手持式の情報端末いわゆるハンディターミナルで、基体部１０およびその基体部１０にヒンジ２，３を介して開閉自在に連結した蓋体部２０を備える。
【００１０】
使用時は、図示のように蓋体部２０を開くことにより、基体部１０の内側の操作面に配置したタッチパネル式の液晶表示部１１、および蓋体部２０の内側の操作面に配置した操作キーパッド２１が露出する。非使用時は、蓋体部２０を閉じて、係員のポケットなどに収容することができる。  
このハンディターミナル１は、注文を受ける店員の人数や店舗の規模などに応じた複数台が用意される。
【００１１】
基体部１０の液晶表示部１１は、注文情報を入力するための操作手段として機能するもので、商品の名称、商品の図形、商品の絵（アイコン）などが付いた多数の操作パターン１１ａを縦横に配列して表示する操作パターン表示領域、および数値や文字などのキーパターンを縦横に配列して表示するキー表示領域１１ｂを備える。また、液晶表示部１１は、最上部の領域において、後述のオーダーステーション４０から送信される電波の受信強度を段階的に表わす受信電波強度表示パターン１１ｃを表示するとともに、後述のバッテリ１６の蓄電量を段階的に表わすバッテリ残量表示パターン１１ｄを表示する。
【００１２】
蓋体部２０の操作キーパッド２１も、注文情報を入力するための操作手段として機能するもので、商品の名称、商品の図形、商品の絵（アイコン）などが付いた多数の操作キー２１ａを縦横に配列してなる。
【００１３】
基体部１０の液晶表示部１１は、基体部１０を左手で持ちながら蓋体部２０を右方向に開くことにより露出し、右手指でタッチ操作することができる。蓋体部２０の操作キーパッド２１も、同様に、右手指でタッチ操作することができる。
【００１４】
基体部１０の長手方向に沿う側面部に、複数の操作キーたとえば上向きシフトキー１２、下向きシフトキー１３、および円形のエンターキー（ＥＮＴキー）１４を配置する。エンターキー１４は、入力した注文情報を確定するためのもので、基体部１０を左手で持ちながら、左手の親指により押圧操作することができる。上向きシフトキー１２および下向きシフトキー１３も、同様に、基体部１０が左手で持ちながら、左手の親指により押圧操作することができる。
【００１５】
蓋体部２０の操作面の上方位置に磁石１８ａを配置し、基体部１０の操作面の上方位置に磁束センサ１８ｂを配置する。蓋体部２０を閉じると、磁石１８ａが磁束センサ１８ｂに接近または接触し、磁石１８ａの磁束を磁束センサ１８ｂが検知する。蓋体部２０を開くと、磁石１８ａが磁束センサ１８ｂから離れ、磁石１８ａの磁束を磁束センサ１８ｂが検知しなくなる。この磁束センサ１８ｂの出力により、蓋体部２０の開閉を検知することができる。
【００１６】
図２に示すように、基体部１０の裏面の下部にバッテリカバー１５を着脱自在に設け、そのバッテリカバー１５の内側に充電式のバッテリ１６を嵌め込み装着する。バッテリ１６は、当該ハンディターミナル１の動作に必要な電圧を出力する。
【００１７】
ハンディターミナル１の使用者は、バッテリカバー１５を外して中のバッテリ１６を取出し、そのバッテリ１６を専用の充電器にセットすることにより、バッテリ１６を充電することができる。その後、使用者は、充電が完了したバッテリ１６を充電器から外して基体部１０に装着する。この装着により、ハンディターミナル１が電源オンとなる。
【００１８】
使用者は、バッテリ１６の装着後、バッテリカバー１５を元の位置に取付ける。このバッテリカバー１５の取付け位置の近傍に、カバーセンサ１７を配置する。カバーセンサ１７は、バッテリカバー１５の取外しと取付けを機械的・光学的・磁気的のいずれかの方法で検知する。
【００１９】
ハンディターミナル１の制御回路、およびハンディターミナル１との無線通信を行う外部機器の制御回路を図３に示す。  
ハンディターミナル１における基体部１０の回路基板上に、マイクロコンピュータのＣＰＵ１００を搭載する。このＣＰＵ１００に、タッチパネル１０１、ＬＣＤ表示モジュール１０２、無線通信部１０３、ＲＯＭ１０４、ＲＡＭ１０５、電圧検出部１０６、上記カバーセンサ１７、時計１０８、時計用バッテリ１０９、ＳＲＡＭ（Static Random Access Memory）１１０、上向きシフトキー１２、下向きシフトキー１３、エンターキー１４、および磁束センサ１８ｂを接続する。
【００２０】
タッチパネル１０１およびＬＣＤ表示モジュール１０２により、基体部１０におけるタッチパネル式の液晶表示部１１を構成する。つまり、各種操作パターンや各種操作キーの画像をＬＣＤ表示モジュール１０２が表示し、その表示をタッチパネル１０１が透過する。
【００２１】
無線通信部１０３は、アンテナ１０３ａを付属して備え、ＣＰＵ１００から供給される情報や信号を通信ネットワークたとえばＬＡＮ（ローカル・エリア・ネットワーク）３０を介して外部機器に無線送信するとともに、外部機器から無線送信される情報や信号をＬＡＮ３０を介して受信しＣＰＵ１００に供給する。
【００２２】
ＲＯＭ１０４は、オペレーティングシステム（ＯＳ）、注文受付処理に必要なアプリケーションプログラム、および文字・図形・絵などの各種表示用パターンデータを記憶している。ＲＡＭ１０５は、ＣＰＵ１００の処理の実行に伴い生じる各種データを記憶する。電圧検出部１０６は、基体部１０に装着されるバッテリ１６内のバッテリ１６の電圧Ｖを検出する。
【００２３】
時計１０８は、現在時刻を計時する。時計用バッテリ１０９は、時計１０８の動作に必要な電圧を出力する小容量の例えばボタン電池である。ＳＲＡＭ１１０は、後述するカウント手段のカウント値を記憶するためのもので、バッテリ１６が取外された場合でも、記憶内容を時計用バッテリ１０９の電圧を受けて保持する。
【００２４】
また、ハンディターミナル１における蓋体部２０の回路基板に、メンブレンキー２０１を搭載する。メンブレンキー２０１は、操作キーパッド２１の各操作キー２１ａに対する手指の押圧を受けてそれぞれ作動する多数の接点を有し、これら接点の信号を注文入力情報として、基体部１０のＣＰＵ１００に供給する。
【００２５】
ハンディターミナル１との無線通信を行う外部機器として、ハンディターミナル１から無線送信される注文情報を受付ける注文受付装置いわゆるオーダーステーション４０を厨房などに設置する。このオーダーステーション４０およびハンディターミナル１により、商品の注文受付処理を実行する情報処理システムを構築している。
【００２６】
オーダーステーション４０は、注文受付処理を実行するＣＰＵ４１を有する。このＣＰＵ４１に、無線通信部４２、操作部４３、表示部４４が接続される。無線通信部４２は、ＣＰＵ４１から供給される情報や信号をＬＡＮ３０を介してハンディターミナル１に無線送信するとともに、ハンディターミナル１から無線送信される情報や信号をＬＡＮ３０を介して受信してＣＰＵ４１に供給する。
【００２７】
そして、ハンディターミナル１のＣＰＵ１００は、ＲＯＭ１０４内のプログラムに基づく主要な機能として、次の（１）〜（９）の手段を有する。  
（１）液晶表示部１１へのタッチ操作、操作キーパッド２１の押圧操作、上向きシフトキー１２、下向きシフトキー１３、エンターキー１４などの押圧操作に応じて入力される情報を注文情報として取込み、取込んだ注文情報を無線通信部１０３によりオーダーステーション４０に無線送信する送信手段。
【００２８】
（２）電圧検出部１０６の検出電圧Ｖの値を液晶表示部１１のバッテリ残量表示パターン１１ｄにより段階的たとえば３段階にアナログ表示するアナログ表示制御手段。
【００２９】
（３）磁束センサ１８ｂの出力に基づいて蓋体部２０の開閉を検出する開閉検出手段。
【００３０】
（４）上記開閉検出手段の検出結果に基づき、蓋体部２０の開回数をカウントするカウント手段。このカウント手段のカウント値のことを、以下、カウント値Ｎという。
【００３１】
（５）バッテリ１６の取外しに際して上記開回数のカウント値Ｎを初期値である“０”に設定する制御手段。
【００３２】
（６）上記送信手段による無線送信が終了したとき、カウント値Ｎが設定値Ｎｓ以上の場合に、バッテリ１６の交換または充電が必要な旨を液晶表示部１１の表示により報知する報知手段。設定値Ｎｓとして、例えば“２００”という数値を定める。この数値“２００”は、満充電のバッテリ１６を用いた場合に動作が保証されている最小送信回数に相当する。
【００３３】
（７）蓋体部２０が閉じているとき、または蓋体部２０が開いた状態で所定時間にわたり操作入力を受け付けなかったとき、省電力のためのサスペンド状態を設定するサスペンド制御手段。
【００３４】
（８）上記サスペンド状態の設定後、蓋体部２０が開いていること、およびエンターキー１４のオン操作（押圧操作）があることを条件に、そのサスペンド状態を解除するレジューム処理を実行するレジューム制御手段。
【００３５】
なお、上記（５）の制御手段は、具体的には、バッテリカバー１５の取外しをカバーセンサ１７が検知したとき、その検知をバッテリ１６の取外しと捕らえてカウント値Ｎを初期値“０”に設定し、その設定後に当該ハンディターミナル１のシステムをシャットダウンする。カバーセンサ１７による取外し検知からシャットダウンを行うまでの時間として、使用者がバッテリカバー１５を取外してから実際にバッテリ１６を取出すまでの作業に要する時間よりも十分に短い一定時間、たとえば５００msecを定めている。この一定時間内に初期値“０”を設定してシャットダウンを行う。使用者によるバッテリ１６の実際の取出しは、このシャットダウンの後になる。カウント値Ｎについては、当該ハンディターミナル１の製品出荷時や販売時にメーカー側や販売店側で初期値“０”に設定される。
【００３６】
つぎに、ハンディターミナル１のＣＰＵ１００が実行する制御を図４のフローチャートを参照しながら説明する。  
ＣＰＵ１００は、蓋体部２０が閉じている場合(ステップ３０１のＮＯ)、または蓋体部２０が開いていてもエンターキー１４のオン操作による操作入力を所定時間にわたり受け付けなかった場合(ステップ３０１のＹＥＳ、ステップ３０２のＮＯ)、省電力のためのサスペンド状態の設定を維持する(ステップ３０３)。続いて、ＣＰＵ１００は、バッテリカバー１５の取外しがあるか否かをカバーセンサ１７の出力に基づき判定する（ステップ３０４）。
【００３７】
バッテリカバー１５の取外しがなければ（ステップ３０４のＮＯ）、ＣＰＵ１００は、最初に戻って蓋体部２０の開閉を監視する（ステップ３０１）。バッテリカバー１５の取外しがあれば（ステップ３０４のＹＥＳ）、ＣＰＵ１００は、蓋体部２０の開回数のカウント値Ｎを初期値“０”に設定し（ステップ３０５）、その設定後に当該ハンディターミナル１のシステムをシャットダウンする（ステップ３０６）。
【００３８】
ＣＰＵ１００は、蓋体部２０が開き(ステップ３０１のＹＥＳ)、かつエンターキー１４のオン操作があった場合(ステップ３０２のＹＥＳ)、上記サスペンド状態を解除するレジューム処理を実行するとともに（ステップ３０７）、蓋体部２０の開回数のカウント値Ｎを“１”カウントアップする(ステップ３０８)。続いて、ＣＰＵ１００は、液晶表示部１１へのタッチ操作、操作キーパッド２１の押圧操作、上向きシフトキー１２、下向きシフトキー１３、エンターキー１４などの押圧操作に応じて入力される情報を注文情報として取込む（ステップ３０９）。
【００３９】
ＣＰＵ１００は、液晶表示部１１のキー表示領域１１ｂにおける送信キーのオン操作（タッチ操作）がなく（ステップ３１０のＮＯ）、バッテリカバー１５の取外しがなく（ステップ３１１のＮＯ）、しかも蓋体部２０が開いている場合（ステップ３１２のＮＯ）、注文情報の取込みを続ける（ステップ３０９）。
【００４０】
この注文情報の取込みに際し、ＣＰＵ１００は、バッテリカバー１５の取外しがあれば（ステップ３１１のＹＥＳ）、上記同様、蓋体部２０の開回数のカウント値Ｎを初期値“０”に設定し（ステップ３０５）、その設定後に当該ハンディターミナル１のシステムをシャットダウンする（ステップ３０６）。また、ＣＰＵ１００は、注文情報の取込みに際し、蓋体部２０が閉じた場合（ステップ３１２のＹＥＳ）、注文情報の取込みを終了する。
【００４１】
また、注文情報の取込みに際し、ＣＰＵ１００は、上記送信キーがオン操作されたとき（ステップ３１０のＹＥＳ）、取込んだ注文情報をオーダーステーション４０に無線送信する（ステップ３１３）。この無線送信が終了したとき、ＣＰＵ１００は、蓋体部２０の開回数のカウント値Ｎが設定値Ｎｓ以上であるか否かを判定する（ステップ３１４）。
【００４２】
ＣＰＵ１００は、カウント値Ｎが設定値Ｎｓ未満で（ステップ３１４のＮＯ）、かつバッテリカバー１５の取外しがなく（ステップ３１１のＮＯ）、かつ蓋体部２０が開いている場合（ステップ３１２のＮＯ）、注文情報の取込みを再開する（ステップ３０９）。
【００４３】
ＣＰＵ１００は、カウント値Ｎが設定値Ｎｓ以上の場合（ステップ３１４のＹＥＳ）、図５に示すように、バッテリ１６の交換または充電が必要な旨の案内文を液晶表示部１１で表示する（ステップ３１５）。この場合、ＣＰＵ１００は、例えば、『バッテリを交換または充電してください／確認後はＥＮＴキー』という案内文を表示する。この案内文に含まれる『確認後はＥＮＴキー』という文言は、当該案内文の確認後にエンターキー１４をオン操作してほしい旨を使用者に知らせるためのものである。
【００４４】
ハンディターミナル１の使用者は、この案内文を見ることにより、バッテリ１６の交換または充電が必要なことを察知する。そして、使用者は、この察知に伴い、エンターキー１４をオン操作する。ＣＰＵ１００は、このエンターキー１４のオン操作に応じて（ステップ３１６のＹＥＳ）、液晶表示部１１における上記案内文の表示を解除する（ステップ３１７）。続いて、ＣＰＵ１００は、バッテリカバー１５の取外しがなく（ステップ３１１のＮＯ）、しかも蓋体部２０が開いていれば（ステップ３１２のＮＯ）、注文情報の取込みを再開する（ステップ３０９）。
【００４５】
案内文の表示を見た使用者は、バッテリ１６の交換または充電が必要なことを察知し、注文者がないときなど、業務の合間に、バッテリカバー１５を取外してバッテリ１６を取出し、そのバッテリ１６の交換または充電を実際に行うことができる。
【００４６】
バッテリカバー１５が取外されたとき（ステップ３０４のＹＥＳまたはステップ３１１のＹＥＳ）、ＣＰＵ１００は、蓋体部２０の開回数のカウント値Ｎを初期値“０”に設定し（ステップ３０５）、その設定後に当該ハンディターミナル１のシステムをシャットダウンする（ステップ３０６）。この場合、バッテリカバー１５が取外されてからシャットダウンを行うまでの時間として、使用者がバッテリカバー１５を取外してから実際にバッテリ１６を取出すまでの作業に要する時間よりも十分に短い一定時間（５００msec）を定めている。使用者によるバッテリ１６の実際の取出しは、このシャットダウンの後になる。
【００４７】
蓋体部２０の開回数のカウント値Ｎが設定値Ｎｓ以上となったとき、つまり蓋体部２０の開回数が２００回に達して注文情報の無線送信が少なくとも２００回以上繰り返されたとき、バッテリ１６は残量が少なくなって寿命切れに近い状態にある。この時点で上記案内文による報知を行うことにより、バッテリ切れに至る前に、バッテリ１６の交換または充電をハンディターミナル１の使用者に実施させることができる。これにより、業務の途中で動作が停止するといった不具合を回避することができ、業務効率の向上が図れる。
【００４８】
しかも、注文情報の１回分の無線送信が終了した時点で案内文を表示するので、注文を受けている最中に案内文の表示が出ることもない。したがって、１回分の注文情報を確実に取込んで無線送信することができる。
【００４９】
なお、液晶表示部１１にはバッテリ残量表示パターン１１ｄの表示があって、その表示を見ることでも、バッテリ１６の残量をある程度は知ることが可能である。ただ、このバッテリ残量表示パターン１１ｄの表示は、大まかなレベル表示でしかない。このバッテリ残量表示パターン１１ｄの表示とは別に上記案内文を表示するので、バッテリ１６の寿命切れが近いままハンディターミナル１の使用が続いてしまう不具合を確実に解消することができる。
【００５０】
［２］本発明の第２実施形態について説明する。  
ハンディターミナル１のＣＰＵ１００は、ＲＯＭ１０４内のプログラムに基づく主要な機能として、次の（１１）の手段を有するとともに、第１実施形態の（５）（６）の手段に代えて次の（１２）（１３）の手段を有する。他の（１）〜（４）の手段および（７）（８）の手段については、第１実施形態と同じ内容なので、その記載は省略する。
【００５１】
（１１）上記送信手段による無線送信の送信回数をカウントするカウント手段。このカウント手段のカウント値のことを、以下、カウント値Ｔという。
【００５２】
（１２）バッテリ１６の取外しに際して開回数のカウント値Ｎおよび送信回数のカウント値Ｔを初期値“０”にそれぞれ設定する制御手段。
【００５３】
（１３）上記送信手段による無線送信が終了したとき、カウント値Ｎが設定値Ｎｓ以上という条件およびカウント値Ｔが設定値Ｔｓ以上という条件のいずれか一方が成立した場合に、バッテリ１６の交換または充電が必要な旨を液晶表示部１１の表示により報知する報知手段。設定値Ｎｓとして、例えば“２００”という数値を定める。この数値“２００”は、満充電のバッテリ１６を用いた場合に動作が保証されている最小送信回数に相当する。設定値Ｔｓについては、この最小送信回数に相当する数値“２００”を定める。
【００５４】
なお、（１２）の制御手段は、具体的には、バッテリカバー１５の取外しをカバーセンサ１７が検知したとき、その検知をバッテリ１６の取外しと捕らえてカウント値Ｎ，Ｔを初期値“０”に設定し、その設定後に当該ハンディターミナル１のシステムをシャットダウンする。カバーセンサ１７による取外し検知からシャットダウンを行うまでの時間として、使用者がバッテリカバー１５を取外してから実際にバッテリ１６を取出すまでの作業に要する時間よりも十分に短い一定時間、たとえば５００msecを定めている。この制御手段は、この一定時間内に初期値“０”を設定してシャットダウンを行う。使用者によるバッテリ１６の実際の取出しは、このシャットダウンの後になる。カウント値Ｎ，Ｔについては、当該ハンディターミナル１の製品出荷時や販売時にメーカー側や販売店側で初期値“０”に設定される。
【００５５】
ハンディターミナル１のＣＰＵ１００が実行する制御を図６のフローチャートに示す。  
すなわち、ＣＰＵ１００は、バッテリカバー１５の取外しがあったとき（ステップ３０４のＹＥＳまたはステップ３１１のＹＥＳ）、カウント値Ｎ，Ｔを初期値“０”にそれぞれ設定し（ステップ３０５）、その設定後に当該ハンディターミナル１のシステムをシャットダウンする（ステップ３０６）。
【００５６】
また、ＣＰＵ１００は、液晶表示部１１のキー表示領域１１ｂにおける送信キーがオン操作されたとき（ステップ３１０のＹＥＳ）、取込んだ注文情報をオーダーステーション４０に無線送信するとともに（ステップ３１３）、カウント値Ｔを“１”アップする(ステップ３１３ａ)。
【００５７】
続いて、ＣＰＵ１００は、カウント値Ｎが設定値Ｎｓ以上であるか否かを判定するとともに（ステップ３１４）、カウント値Ｔが設定値Ｔｓ以上であるか否かを判定する（ステップ３１４ａ）。
【００５８】
ＣＰＵ１００は、カウント値Ｎが設定値Ｎｓ以上の場合（ステップ３１４のＹＥＳ）、あるいは送信回数のカウント値Ｔが設定値Ｔｓ以上の場合（ステップ３１４ａのＹＥＳ）、バッテリ１６の交換または充電が必要な旨の案内文を液晶表示部１１で表示する（ステップ３１５）。
【００５９】
当該ハンディターミナル１は、蓋体部２０が開かれてエンターキー１４がオン操作されるごとに、サスペンド状態を解除して液晶表示部１１の動作をオンする。このため、注文情報の無線送信を実行しない場合でも、バッテリ１６の電力が消費される。この点を考慮し、蓋体部２０の開回数Ｎが設定値Ｎｓ以上であることを、案内文表示の条件としている。
【００６０】
蓋体部２０の一度開かれた状態で複数回の無線送信が繰り返されることもある。この点を考慮し、蓋体部２０の開回数とは別に、送信回数Ｔが設定値Ｔｓ以上であることも、案内文表示の条件としている。
【００６１】
このように、開回数および送信回数の両方を案内表示の条件とすることにより、バッテリ１６の残量をより適切に知らせることができる。他の構成、制御、および効果については、第１実施形態と同じである。よって、その説明は省略する。
【００６２】
［３］変形例  
設定値Ｎｓ，Ｔｓについては、数値“２００”に限らず、バッテリ１６の容量および性能に応じて適宜に選定可能である。設定値Ｎｓ，Ｔｓとして、互いに異なる値を定めてもよい。
【００６３】
蓋体部２０の開回数をカウントしたが、開回数に代えて蓋体部２０の閉回数をカウントし、その閉回数のカウント値をカウント値Ｎとしてもよい。
【００６４】
バッテリ１６の交換または充電が必要な旨を案内文の表示によって報知したが、その報知の方法についても適宜に選定可能である。例えば、液晶表示部１１において特定の画像パターンを点滅表示したり、基体部１０からブザー音を発したり、携帯電話器のように基体部１０を微振動させるなど、種々の報知が考えらえる。
【００６５】
その他、上記各実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態および変形例は、発明の範囲は要旨に含まれるとともに、特許請求の範囲に記載された発明とその均等の範囲に含まれる。
【符号の説明】
【００６６】
１…ハンディターミナル、１０…基体部、１１…タッチパネル式の液晶表示部、１１ａ…操作パターン、１１ｂ…キー表示領域、１１ｃ…受信電波強度表示パターン、１１ｄ…バッテリ残量表示パターン、１５…バッテリカバー、１６…バッテリ、１７…カバーセンサ、１８ａ…磁石、１８ｂ…磁束センサ、２０…蓋体部、２１…操作キーパッド、２１ａ…操作キー、４０…オーダーステーション、１００…ＣＰＵ、１０３…無線通信部、１０６…電圧検出部
【図１】
2014146456.tif 000003
【図２】
2014146456.tif 000004
【図３】
2014146456.tif 000005
【図４】
2014146456.tif 000006
【図５】
2014146456.tif 000007
【図６】
2014146456.tif 000008